(57)【要約】【課題】アクリル板などのパネルを必要な強度をもって組み立てられるようにする。【解決手段】係合パネル１１のＬ型の係合突起１４に嵌合パネル１２の嵌入孔１５を嵌めて、係合パネル１１の一方の側部に嵌合パネル１２を取り付ける。この嵌合パネル１２を取り付けた側部と直角に隣接する係合パネル１１の側部の係合突起１４に係止パネル１３の嵌入孔１６を嵌めスライドさせて嵌入孔１６と係合突起１４のＬ型の折曲部を係合させる。同時に、係止パネル１３を嵌合パネルの側部に当接させ、当接した圧接部１７で固定して、係合パネルと嵌合パネル及び係止パネルが直角に接するようにする。こうすることで、係止パネル１１の圧接部１７が嵌合パネル１２の側部に当接して嵌合パネル１２の移動を防止し、移動の防止された嵌合パネル１２は係止パネル１３から外れなくなる。【選択図】  図４
2004250058.tif 000002
【特許請求の範囲】
【請求項１】
先端を側部と並行、かつ、同一方向に折り曲げてＬ型に形成した複数の係合突起を側部とその側部に直角に隣接する側部に設けた係合パネルと、
前記係合パネルの係合突起を嵌めるスリット状の嵌入孔をパネル面に一列に設けた嵌合パネルと、
前記係合パネルの係合突起が嵌まるスリット状の嵌入孔と、前記嵌合パネルの側部に当接する圧接部を設けた係止パネルからなり、
前記係合パネルの係合突起に嵌合パネルの嵌入孔を嵌めて、係合パネルの一方の側部に嵌合パネルを取り付けるとともに、嵌合パネルを取り付けた側部と直角に隣接する側部の係合突起に係止パネルの嵌入孔を嵌めスライドさせて嵌入孔と係合突起のＬ型の折曲部を係合させるとともに、係止パネルの圧接部を嵌合パネルの側部に当接させるようにしたパネルの係止構造。
【請求項２】
パネルの縁に係合用の孔を設けたフロントパネルと、バックパネルと、
重ね合わせた前記フロントパネルとバックパネルが嵌まるコの字型の開口を有し、その開口の対向する内縁に突部を設けた係止部材とからなり、
前記フロントパネルとバックパネルの間にシート状の掲示物を挟んで係止部材の開口に嵌入すると、フロントパネルとバックパネルの係合用の孔が、前記係止部材の開口の突部に嵌まるようにしたパネルの係止構造。
【発明の詳細な説明】
【０００１】
【発明の属する利用分野】
この発明は、パネル（例えば、アクリル板）を使った組立式の家庭用品におけるパネルの係止構造に関するものである。
【０００２】
【従来の技術】
アクリル板などのパネルを使ってワンタッチで組み立てられる家庭用品の係止構造として使用できそうなものとして、例えば、〔特許文献１〕や〔特許文献２〕に示すようなものがある。
【０００３】
〔特許文献１〕のものは、簡易式の組立式ケースで、その係止構造は、図１１（ａ）に示すように、Ｌ形の係止片１を突設したオス板２と、前記オス板２の係止片１の嵌まる溝孔３を端縁に形成したメス板４とで構成され、図１１（ｂ）のようにメス板４の溝孔３にオス板２の係止片１を嵌めたのちスライドさせて、オス板２の係止片１のＬ形の折曲部とメス板４の溝孔３の端縁とを組み合わせて組み立てるようになっている。
【０００４】
一方、〔特許文献２〕のものは、図１２に示すように、透明な表板（フロントパネル）５を用いた組立式の写真立てで、その係止構造は、表板５と裏板６の四隅に取付け孔７を設けて、その取付け孔７に挿入した雄ねじ部材８と、長寸及び短寸の雌ねじ部材９とで固定するようになっている。
【０００５】
いずれも一般に知られている標準的な係止構造をもつものである。
【０００６】
【特許文献１】
特開平１０−１６７２６３号公報
【特許文献２】
実開平５−１５８６９号公報
【０００７】
【発明が解決しようとする課題】
ところで、〔特許文献１〕のものでは、組み立てる際にオス板の係止片のＬ形の折曲部とメス板の溝孔の端縁とを噛み合わせ、溝孔の端縁を圧縮することにより、大きな係止力を得るようにしている。
【０００８】
しかしながら、メス板とオス板とがアクリル板などのような弾性力の小さな硬質のものでは、両者を噛み合わせても溝孔の端縁を圧縮できないので簡単に外れてしまうという問題がある。
【０００９】
一方、〔特許文献２〕のものでは、雄ねじ部材と、雌ねじ部材とを使うので、部品数が多くなる。また、組立にもドライバーなどの工具が必要であるという問題がある。
【００１０】
そこで、この発明の課題は、アクリル板などのパネルでも必要な強度をもって組み立てられるようにすること、組立部品を少なくすること、また、組立や分解が工具を使わずに簡単にできるようにすることである。
【００１１】
【課題を解決するための手段】
上記の課題を解決するため、この発明では、先端を側部と並行、かつ、同一方向に折り曲げてＬ型に形成した複数の係合突起を側部とその側部に直角に隣接する側部に設けた係合パネルと、前記係合パネルの係合突起を嵌めるスリット状の嵌入孔をパネル面に一列に設けた嵌合パネルと、前記係合パネルの係合突起が嵌まるスリット状の嵌入孔と、前記嵌合パネルの側部に当接する圧接部を設けた係止パネルからなり、前記係合パネルの係合突起に嵌合パネルの嵌入孔を嵌めて、係合パネルの一方の側部に嵌合パネルを取り付けるとともに、嵌合パネルを取り付けた側部と直角に隣接する側部の係合突起に係止パネルの嵌入孔を嵌めスライドさせて嵌入孔と係合突起のＬ型の折曲部を係合させるとともに、係止パネルの圧接部を嵌合パネルの側部に当接させるようにした構成を採用したのである。
【００１２】
このような構成を採用することにより、嵌合パネルは、パネル面の嵌入孔を係合パネルの側部の係合突起に嵌めることにより、係合パネルに直角に取り付けられる。また、係止パネルは、嵌合パネルを取り付けた側部に直角に隣接する側部に取り付けられているので、係合パネルと嵌合パネル及び係止パネルは、直角に接することになる。そのため、係止パネルの圧接部が嵌合パネルの側面に当接して嵌合パネルの移動を防止し、移動の防止された嵌合パネルは係止パネルから外れなくなり、相互に係止を行うことになるので、しっかりと固定できる。
【００１３】
また、このとき、パネルの縁に係合用の孔を設けたフロントパネルと、バックパネルと、
重ね合わせた前記フロントパネルとバックパネルが嵌まるコの字型の開口を有し、その開口の対向する内縁に突部を設けた係止部材とからなり、前記フロントパネルとバックパネルの間にシート状の掲示物を挟んで係止部材の開口に嵌入すると、フロントパネルとバックパネルの係合用の孔が、前記係止部材の開口の突部に嵌まるようにした構成を採用することもできる。
【００１４】
このような構成を採用することにより、フロントパネルとバックパネルの係合用の孔が、係止部材の開口の突部に嵌まると、両パネルは間に挟んだ掲示物を取り外さないと突部から外れないので、しっかりと固定できる。また、挟んだ掲示物を引き抜けば、フロントパネルとバックパネルが動いて係合用の孔が突部から外れるので、簡単に分解できる。
【００１５】
【発明の実施の形態】
図１に第１実施形態を示す。
第１実施形態は請求項１の係止構造を適用したファイルケースＦで、ファイルケース本体１０と引き出し体２０とで構成されている。
【００１６】
ファイルケース本体１０は、図２に示すように、係合パネル１１と嵌合パネル１２及び係止パネル１３で構成されている。
【００１７】
係合パネル１１は、ファイルケース本体１０の上、底面及び棚（ここでは全部で６層）を形成するもので、長方形のアクリル板の一側を曲線で形成したものである。また、係合パネル１１は、図２に示すように、直角に隣接した側部に複数の係合突起（曲線で形成した一側（正面）を除いたパネル１１の側部に複数の係合突起。すなわち、隣接する側部に、ここでは、左右は２個ずつ、後部は両端と真ん中に３個）１４が設けてある。
【００１８】
これらの係合突起１４は、先端を側部に並行で、かつ、各側部ごとに、同一方向に折り曲げてＬ形に形成したものとなっている。ここでは、図２のように、左右の側部の係合突起１４は、後方へ向けて折り曲げ、後方の側部は、右方向に折り曲げるようにしてあるが、これに限定されるものではない。例えば、この逆であってもかまわない。
【００１９】
嵌合パネル１２は、この形態では、ファイルケース本体１０の側面を形成するもので、係合パネル１１と同じ幅の長方形のアクリル板のパネルに、スリット状の嵌入孔１５を設けたものである。
【００２０】
前記嵌入孔１５は、長方形状で係合パネル１１の係合突起１４の先端のＬ形の折曲部が嵌入できる大きさに形成されており、係合パネル１１の係合突起１４が嵌まるように一列に形成されている。ここでは、幅方向に２個の嵌入孔１５を７列設けている。また、各列の間隔は、引き出し体１０の高さに対応させてある。
【００２１】
係止パネル１３は、嵌合パネル１２と同じ長さのアクリル板に、係合パネル１１の係合突起１４を嵌入するための複数のスリット状の嵌入孔１６を一列に設けたもので、その一列に設けた嵌入孔１６の横に圧接部１７を設けて、嵌合パネル１２の側部に当接するようにしてある。
【００２２】
すなわち、係止パネル１３に、係合突起１４を嵌めた状態で、係止パネル１３の圧接部１７が嵌合パネル１１の側部に当接するように各パネル１０、１１、１２の寸法が決められており、前記圧接部１７の当接により、嵌合パネル１２の抜け落ちを防止し、抜け落ちが防止された嵌合パネル１２によって、係合パネル１１の抜け落ちも防止することができるようになっている。
【００２３】
引き出し体２０は、図３に示すように、壁面パネル２１ｆ、２１ｂ、２１ｓと底面パネル２２及びストッパー２３とで構成されている。
【００２４】
壁面パネル２１ｆ、２１ｂ、２１ｓは、前面パネル２１ｆと後面パネル２１ｂ及び側面パネル２１ｓとで構成されている。前面パネル２１ｆと後面パネル２１ｂは、側面パネル２１ｓとの係合用のスリット２４を両側に設けるとともに、下側に３個の係合用の突部２５を設けたもので、前記突部２５には、ストッパー２３を嵌めるスリット２６が形成されている。また、前面パネル２１ｆの真ん中には、指を掛けるための凹部を形成してある。
【００２５】
側面パネル２１ｓは、Ｌ型の突起２７を両側端に設けるとともに、下側に係合用の突部２５を２個設けてある。前記突部２５は、前述した前、後面パネル２１ｆ、２１ｂと同様のスリット２６を設けたもので、ストッパー２３が嵌まるようになっている。
【００２６】
ストッパー２３は、コの字型をしたもので、コの字型の両方の先端を斜めにカットして、前記突部２５のスリット２６に嵌めやすくしてある。
【００２７】
底面パネル２２は、パネル面に壁面パネル２１ｆ、２１ｂ、２１ｓを係止するための嵌入孔２８を形成したもので、左右の幅方向に沿って、それぞれ２個の嵌入孔２８を設けて、側面パネル２１ｓを係止できるようにするとともに、前、後の長さ方向に沿って、それぞれ３個の嵌入孔２８を設けて、前、後パネル２１ｆ、２１ｂを係止できるようにしてある。
【００２８】
この形態は、上記のように構成されており、ファイルケースＦは、ファイルケース本体１０と引き出し体２０とを構成する各パーツで提供される。すなわち、ファイルケース本体１０は、係合パネル１１、嵌合パネル１２と係止パネル１３の３種類のパネル。引き出し体２０は、壁面パネル２１ｆ、２１ｂ、２１ｓ、底面パネル２２の４種類のパネルとストッパー２３が提供される。
【００２９】
ファイルケース本体１０の組立は、まず、係合パネル１１に嵌合パネル１２を組み合わせてファイルケース本体１０の両側と上底面及び棚を組み立てる。
【００３０】
すなわち、図４（ａ）に示すように、係合パネル１１の両側のＬ型の突起１４を嵌合パネル１２の嵌入孔１５に嵌める。このとき、係合パネル１１と嵌合パネル１２とは、図４（ａ）のように嵌合パネル１２の嵌入孔１５に係合パネル１１のＬ形の突起１４を嵌めて嵌合パネル１２を矢印の方向へスライドさせる。すると、係合パネル１１と嵌合パネル１２のパネル端が一致するように寸法が決められているので、パネル端の一致した係合パネル１１と嵌合パネル１２に、図４（ｂ）のように係止パネル１３を組み合わせる。
【００３１】
係止パネル１３の組合せは、係止パネル１３の嵌入孔１６を係合パネル１１の後側のＬ型突起１４に嵌めて、図４（ｂ）の矢印（鎖線）のようにスライドさせて、係止パネル１３の圧接部１７を嵌合パネル１２の側部に当接させる。
【００３２】
他方の側も同じようにして係止パネル３を取り付ける。この形態では、係止パネル３は両側に取り付けるようにしたが、強度に問題がなければ、片側だけでもよい。
【００３３】
このように組み立てられたファイルケース本体１０は、３つのパネル１０、１１、１２を相互に係合させて組み立てて（例えば、嵌合パネル１２が図４（ｂ）の矢印（実線）の方向へ動き外れようとして係止パネル１３を押すと、押された係止パネル１３の嵌合孔１６と係合パネル１１の突起１４のＬ型の折曲部分との接合が密になり、外れ難くなる）、相互に係止するようにしているので、充分な強度を発揮させることができる。また、パネル１０、１１、１２だけで組み立てられるようにしているので部品も少なく、また、パネル１０、１１、１２を嵌めるだけなので、組立や分解も工具を使わず簡単にできる。
【００３４】
一方、引き出し体２０は、図５（ａ）のように、側面パネル２１ｓと前、後面パネル２１ｆ、２１ｂの突部２５を底面パネル２２の嵌入孔２８に嵌めて、図５（ｂ）に示すように、嵌入孔２８から突出した側面パネル２１ｓの突部２５のスリット２６にストッパー２３を嵌める。その際、側面パネル２１ｓの両側の突起２７を前、後面パネル２１ｆ、２１ｂのスリット２４へ嵌めることで、壁面パネル２１ｆ、２１ｂ、２１ｓ同志を係合させて大きな強度を得られるようにしてある。
【００３５】
このようにパネル２１ｆ、２１ｂ、２１ｓ、２２と、簡単なストッパー２３だけで組み立てられるので、部品も少なく、組立や分解が工具を使わずに簡単にできる。
【００３６】
また、組み立てられた引き出し体２０は、ファイルケース本体１０へ組み込むと、図６及び図７に示すように収まって、書類や小物などを入れて整理して保管することができる。
【００３７】
さらに、このファイルケースＦは、引き出し体２０を用いずに、ファイルケース本体１０のみを９０°回転させて縦にして使うと（嵌合パネル１２を上面と底面にし、係合パネル１１を側面として使う）、係合パネル１１を仕切り（その際、係合パネル１１の間隔と、使用枚数は自由に決めることができる）として直接その中にファイルなどを入れて整理用としても使えるなど、様々な使い方ができる。
【００３８】
なお、この形態では、請求項１の係止構造として、ファイルケースＦについて述べたが、前記係止構造はファイルケースＦに限定されるものではなく、これ以外のものにも適用できることは明らかである。
【００３９】
図８に第２実施形態のフォトスタンドＰＳを示す。
このフォトスタンドＰＳは、請求項２の係止構造を適用したもので、図９に示すように、フロントパネル３０、バックパネル３１、スペーサ枠３２、係止部材３３及びクリップ３４とで構成されている。
【００４０】
フロントパネル３０は、長方形の透明アクリル板で形成したもので、図９のように、パネル３０の下部と上部の縁にそれぞれ２個の係合用の溝３５と係合用の孔３６を設けるとともに、パネル３０の左右に半球状の取り出し用の切欠３７を設けてある。
【００４１】
バックパネル３１もフロントパネル３０と同寸、同様の構造で、図９に示すように、パネル３１の下部と上部の縁にそれぞれ２個の係合用の溝３５と係合用の孔３６を設け、パネル３１の左右に半球状の取り出し用の切欠３７を設けてある。
【００４２】
スペーサ枠３２は、四角形の枠体で、枠の中に写真などのシート状の掲示物を嵌めて保持するためのものである。
【００４３】
係止部材３３は、図９のように、上方に開口したコの字形の切欠３８を先頭部分に設けた２本の角柱様のものからなり、図８のように、掲示物を挟んだ前記フロントパネル３０とバックパネル３１を立てるためにスタンドとして用いるものである。この係止部材３３の切欠３８の大きさは、フロントパネル３０とバックパネル３１にスペーサ枠３２を挟んで嵌め込むことができる程度に形成されている。
【００４４】
また、この切欠３８には、図１０（ａ）に示すように、開口に突部３９が設けてある。前記突部３９は、開口の端部に対向するように設けられており、前記切欠３８にフロントパネル３０とバックパネル３１を嵌めた際に、それらのパネル３０、３１に設けた係合用の孔３６と合致するようになっている。
【００４５】
クリップ３４は、ここでは、パネル３０、３１と同様、アクリル材で作られたもので、図１０（ｂ）に示すように、コの字形の先端の内側に対向した突部４０を設けたものである。そして、図８のように、スペーサ枠３２を挟んだフロントパネル３０とバックパネル３１の上部へ嵌めると、上部の嵌合孔３６にクリップ３４の突部４０が嵌って、前記パネル３０、３１と枠３２の上部がバラバラになるのを防ぐ。
【００４６】
この形態は、上記のように構成されており、このフォトスタンドＰＳは、写真などの掲示物をスペーサ枠３２の枠内に嵌めて、図９のように、フロントパネル３０とバックパネル３１で挟み、図１０（ａ）のように、係止部材３３の切欠３８に押し込む。このとき、係止部材３３の切欠３８とフロントパネル３０とバックパネル３１の係合用の溝３５と係合用の孔３６とが合致するようにする。すると、パネル３０、３１の係合用の孔３６が切欠３８の突部３９に、図１０（ａ）の矢印のように押されて嵌まる。そのため、切欠３８の突部３９によって係止されることになり、間に挟んだスペーサ枠３２を抜き取らないと外れなくなる。
【００４７】
このとき、前記パネル３０、３１の溝３５は、アジャスタとして作用する。例えば、パネル３０、３１の端が切欠３８内で係止部材３３に当接するような場合でも、溝３５があれば、それ以上にパネル３０、３１を下げられるため、係合用の孔３６の位置の精度を緩められる。
【００４８】
また、係止部材３３との係止ができると、パネル３０、３１の上部にクリップ３４を嵌めて、クリップ３４の開口の内側の突部４０と前記フロントパネル３０とバックパネル３１の嵌合用の孔３５とを合致させる。すると、前述のように、フロントパネル３０とバックパネル３１の上部が開かないようになる。
【００４９】
一方、掲示したものを取り替える場合などは、挟んだ掲示物をスペーサ枠３２と共に、フロントパネル３０とバックパネル３１の両側に設けた切欠３７から引き出せば、前記フロントパネル３０とバックパネル３１が動いて突部３８との係合が外れるので簡単に取り外せる。
【００５０】
このように、工具を用いずに組立や分解が自由に簡単にできる。また、スライドさせて係合用の孔３６が突部３９に確実に嵌まるようにしたので、強度も高くできる。
【００５１】
なお、この形態では、請求項２の係止構造をフォトスタンドに適用した場合について述べたが、これに限定されるものではなく、他の物にも適用できることは、明白である。
【００５２】
【発明の効果】
この発明は、以上のように構成したことにより、例えば、アクリル板のようなパネルでも必要な強度をもって組み立てられる。また、組立部品を少なくすることができる。さらに、組立や分解も工具を使わずに簡単にできる。
【図面の簡単な説明】
【図１】第１実施形態の斜視図
【図２】第１実施形態の分解斜視図
【図３】第１実施形態の分解斜視図
【図４】（ａ）、（ｂ）第１実施形態の作用説明図
【図５】（ａ）、（ｂ）第１実施形態の作用説明図
【図６】第１実施形態の一部切欠正面図
【図７】第１実施形態の一部切欠側面図
【図８】第２実施形態の斜視図
【図９】第２実施形態の分解斜視図
【図１０】（ａ）、（ｂ）第２実施形態の作用説明図
【図１１】（ａ）従来例の斜視図
（ｂ）従来例の縦断面図
【図１２】従来例の分解斜視図
【符号の説明】
１１  係合パネル
１２  嵌合パネル
１３  係止パネル
１４  係合突起
１５  嵌入孔
１６  嵌入孔
１７  圧接部
３０  フロントパネル
３１  バックパネル
３３  係止部材
３６  係合用の孔
３８  コの字型の切欠
３９  突部
【図１】
2004250058.tif 000003
【図２】
2004250058.tif 000004
【図３】
2004250058.tif 000005
【図４】
2004250058.tif 000006
【図５】
2004250058.tif 000007
【図６】
2004250058.tif 000008
【図７】
2004250058.tif 000009
【図８】
2004250058.tif 000010
【図９】
2004250058.tif 000011
【図１０】
2004250058.tif 000012
【図１１】
2004250058.tif 000013
【図１２】
2004250058.tif 000014